(57)【要約】  制御装置が発した熱が除湿機の筐体の内部にこもることを防止できる除湿機を提供する。除湿機は、吸込口と吐出口とを有した筐体と、前記筐体の内部に設けられ、前記吸込口から吸い込んだ空気を前記吐出口から吐き出す送風機と、前記筐体の内部において前記送風機に吸い込まれた空気が通過するように設けられ、通過する空気に含まれる水分を除去する除湿装置と、前記筐体の内部に設けられ、前記除湿装置の動作を制御する制御装置と、前記筐体の内部において前記制御装置に取り付けられた放熱フィンと、前記筐体の内部に設けられ、前記放熱フィンに向けて空気を吐き出す冷却ファンと、前記筐体の内部に設けられ、前記冷却ファンが吐き出した空気が前記放熱フィンを冷却した後に前記送風機に吸い込まれるまでの間に通過する風路となる空間と、を備えた。
2016052211.tif 000002
【特許請求の範囲】
【請求項１】
吸込口と吐出口とを有した筐体と、
前記筐体の内部に設けられ、前記吸込口から吸い込んだ空気を前記吐出口から吐き出す送風機と、
前記筐体の内部において前記送風機に吸い込まれた空気が通過するように設けられ、通過する空気に含まれる水分を除去する除湿装置と、
前記筐体の内部に設けられ、前記除湿装置の動作を制御する制御装置と、
前記筐体の内部において前記制御装置に取り付けられた放熱フィンと、
前記筐体の内部に設けられ、前記放熱フィンに向けて空気を吐き出す冷却ファンと、
前記筐体の内部に設けられ、前記冷却ファンが吐き出した空気が前記放熱フィンを冷却した後に前記送風機に吸い込まれるまでの間に通過する風路となる空間と、
を備えた除湿機。
【請求項２】
前記放熱フィンと前記冷却ファンとを覆い、前記冷却ファンが吸い込む空気の入口と前記放熱フィンを冷却した空気の出口を有したフード、
を備えた請求項１に記載の除湿機。
【請求項３】
前記放熱フィンは、前記冷却ファンが吐き出した空気が鉛直方向に通過するように形成され、
前記冷却ファンは、前記放熱フィンの下方に設けられ、前記放熱フィンに向けて上方に空気を吐き出す請求項１または請求項２に記載の除湿機。
【請求項４】
前記筐体の内部の一側に設けられ、空気の湿度を検出する湿度検出装置、
を備え、
前記筐体は、前記湿度検出装置と対向した取込口を有し、
前記冷却ファンは、前記取込口から吸い込んだ空気を前記放熱フィンに向けて吐き出す請求項３に記載の除湿機。
【請求項５】
前記送風機は、前記筐体の中央に水平方向の回転軸を有し、
前記制御装置は、前記送風機の回転軸の側方の一方に設けられ、
前記放熱フィンは、前記送風機の回転軸の側方の一方に設けられ、
前記冷却ファンは、前記送風機の回転軸の側方の一方に設けられた請求項３または請求項４に記載の除湿機。
【請求項６】
前記制御装置は、前記除湿装置の動作を制御するインバータを有し、
前記放熱フィンは、前記インバータを構成するスイッチング素子と接触した請求項１から請求項５のいずれか一項に記載の除湿機。
【請求項７】
前記放熱フィンの温度を検出する温度検出装置、
を備え、
前記制御装置は、前記温度検出装置に検出された前記放熱フィンの温度に基づいて前記冷却ファンの動作を制御する請求項１から請求項６のいずれか一項に記載の除湿機。
【発明の詳細な説明】
【技術分野】
【０００１】
この発明は、除湿機に関する。
【背景技術】
【０００２】
特許文献１は、除湿機を開示する。当該除湿機は、制御装置を備える。当該制御装置は、除湿装置の動作を制御する。
【先行技術文献】
【特許文献】
【０００３】
【特許文献１】日本特開平７−２３３９９９号公報
【発明の概要】
【発明が解決しようとする課題】
【０００４】
特許文献１のものにおいて、制御装置は、除湿装置を制御する際に熱を発する。当該熱は、除湿機の筐体の内部にこもる。【０００５】
この発明は、上述の課題を解決するためになされた。この発明の目的は、制御装置が発した熱が除湿機の筐体の内部にこもることを防止できる除湿機を提供することである。
【課題を解決するための手段】
【０００６】
この発明に係る除湿機は、吸込口と吐出口とを有した筐体と、前記筐体の内部に設けられ、前記吸込口から吸い込んだ空気を前記吐出口から吐き出す送風機と、前記筐体の内部において前記送風機に吸い込まれた空気が通過するように設けられ、通過する空気に含まれる水分を除去する除湿装置と、前記筐体の内部に設けられ、前記除湿装置の動作を制御する制御装置と、前記筐体の内部において前記制御装置に取り付けられた放熱フィンと、前記筐体の内部に設けられ、前記放熱フィンに向けて空気を吐き出す冷却ファンと、前記筐体の内部に設けられ、前記冷却ファンが吐き出した空気が前記放熱フィンを冷却した後に前記送風機に吸い込まれるまでの間に通過する風路となる空間と、を備えた。
【発明の効果】
【０００７】
この発明によれば、制御装置が発した熱は、放熱フィンにより放熱される。当該熱は、冷却ファンが吐き出した空気により冷却される。当該空気は、風路の空間を通過する。当該空気は、送風機に吸い込まれる。当該空気は、送風機により吐出口から吐き出される。このため、制御装置が発した熱が除湿機の筐体の内部にこもることを防止できる。
【図面の簡単な説明】
【０００８】
【図１】この発明の実施の形態１における除湿機を斜め前方から見た際の分解斜視図である。
【図２】この発明の実施の形態１における除湿機の制御装置の斜視図である。
【図３】この発明の実施の形態１における除湿機の制御装置の分解斜視図である。
【図４】この発明の実施の形態１における除湿機の縦断面図である。
【図５】この発明の実施の形態１における除湿機の要部の正面図である。
【図６】この発明の実施の形態１における除湿機に用いられた冷却ファンの制御の例を説明するための図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化または省略化される。
【００１０】
実施の形態１．
図１はこの発明の実施の形態１における除湿機を斜め前方から見た際の分解斜視図である。
【００１１】
図１において、矢印の方向が前方である。図１の除湿機の筐体は、中央筐体１と前方筐体２と後方筐体３とからなる。中央筐体１は、除湿機の前後方向において除湿機の中央部に設けられる。前方筐体２は、中央筐体１の前部に着脱自在に設けられる。後方筐体３は、中央筐体１の後部に着脱自在に設けられる。
【００１２】
中央筐体１は、自立可能に設けられる。吐出口４は、中央筐体１の上部に形成される。送風機５は、中央筐体１の前後方向において中央筐体１の中央部に設けられる。例えば、送風機５は、両吸込みのシロッコファンからなる。例えば、送風機５は、送風ファンとファンモータとを備える。送風機５の回転軸は、中央筐体１の中央部において除湿機の前後方向に水平に向くように設定される。除湿装置６は、中央筐体１の後部に設けられる。湿度検出装置７は、中央筐体１の一側の下部に設けられる。リアクトル８は、中央筐体１の前部に設けられる。リアクトル８は、送風機５の回転軸の側方の他方に設けられる。制御装置９は、Ｌ字状に形成される。制御装置９は、中央筐体１の前部に設けられる。制御装置９の鉛直部は、送風機５の回転軸の側方の一方に設けられる。制御装置９の水平部は、送風機５の回転軸の下方に設けられる。
【００１３】
前方筐体２は、操作部１０と貯水タンク１１とを備える。操作部１０は、前方筐体２の上部に設けられる。貯水タンク１１は、前方筐体２の前方から前方筐体２の下部に着脱自在に設けられる。
【００１４】
後方筐体３は、吸込口１２と取込口１３とを備える。吸込口１２は、後方筐体３の上部に設けられる。取込口１３は、後方筐体３の一側の下部に設けられる。取込口１３は、後方筐体３が中央筐体１に取り付けられた際に湿度検出装置７と対向する位置に設けられる。
【００１５】
次に、図２を用いて、制御装置９の外観を説明する。
図２はこの発明の実施の形態１における除湿機の制御装置の斜視図である。
【００１６】
図２において、矢印の方向が上方である。図２に示すように、制御装置９は、裏側板金カバー１４と第１表側板金カバー１５と第２表側板金カバー１６と第３表側板金カバー１７とを備える。
【００１７】
裏側板金カバー１４は、制御装置９の裏側において制御装置９の全体に設けられる。第１表側板金カバー１５は、制御装置９の表側において制御装置９の一側の上部に設けられる。第１表側板金カバー１５の一側の高さは、第１表側板金カバー１５の他側の高さよりも低くなるように設定される。第２表側板金カバー１６は、制御装置９の表側において制御装置９の一側の下部に設けられる。第２表側板金カバー１６の一側の高さは、第２表側板金カバー１６の他側の高さよりも低くなるように設定される。第３表側板金カバー１７は、制御装置９の表側において制御装置９の他側に設けられる。第３表側板金カバー１７の高さは、第１表側板金カバー１５の他側の高さと第２表側板金カバー１６の他側の高さと同等となるように設定される。
【００１８】
放熱フィン１８は、後述するインバータ２２ａから生じる熱を放熱するものであり、制御装置９の一側に設けられる。放熱フィン１８は、第２表側板金カバー１６の一側から突き出す。冷却ファン１９は、制御装置９の一側に設けられる。冷却ファン１９は、放熱フィン１８の下方に設けられる。フード２０は、制御装置９の一側に設けられる。フード２０は、放熱フィン１８と冷却ファン１９とを覆う。フード２０は、入口２０ａと出口２０ｂとを有する。入口２０ａは、フード２０の下部に形成される。出口２０ｂは、フード２０の上部に形成される。
【００１９】
次に、図３を用いて、制御装置９の詳細を説明する。
図３はこの発明の実施の形態１における除湿機の制御装置の分解斜視図である。
【００２０】
図３において、矢印の方向が上方である。図３に示すように、制御装置９は、支持体２１と第１基板２２と第２基板２３とを備える。
【００２１】
支持体２１は、樹脂で形成される。支持体２１は、Ｌ字状に形成される。支持体２１は、裏側板金カバー１４に裏側から支持される。第１基板２２は、支持体２１の一側に裏側から支持される。第１基板２２は、送風機５の動作を制御する素子と圧縮機６ａの動作を制御するインバータ２２ａとを有する。第１基板２２の表側の上部は、第１表側板金カバー１５に覆われる。第１基板２２の表側の下部は、第２表側板金カバー１６に覆われる。第２基板２３は、支持体２１の他側に裏側から支持される。第２基板２３は、電源を制御する素子を備える。第２基板２３の表側は、第３表側板金カバー１７に覆われる。
【００２２】
放熱フィン１８は、第１基板２２に裏側から支持される。放熱フィン１８は、インバータ２２ａを構成するＩＰＭ（スイッチング素子）等と接触している。放熱フィン１８は、複数の板体１８ａを備える。複数の板体１８ａは、金属で形成される。複数の板体１８ａは、垂線を水平方向に向けて水平方向に並ぶ。隣接した板体１８ａは、鉛直方向に繋がる空間を有する。複数の板体１８ａは、第１基板２２の表側の下部が第２表側板金カバー１６に覆われた際に第２表側板金カバー１６に形成された開口部１６ａから突き出す。例えば、冷却ファン１９は、軸流ファンからなる。例えば、冷却ファン１９は、送風ファンとファンモータとを備える。フード２０は、第２表側板金カバー１６の一側に裏側から支持される。フード２０は、樹脂で形成される。フード２０の入口２０ａの側は、フード２０の内部において冷却ファン１９を支持する。
【００２３】
絶縁枠２４は、樹脂で形成される。樹脂枠は、放熱フィン１８の周りを囲むように設けられる。絶縁枠２４は、第２表側板金カバー１６と第１基板２２とに挟み込まれる。絶縁枠２４は、第２表側板金カバー１６と第１基板２２とが直接接触することを防止する。温度検出装置２５は、放熱フィン１８に取り付けられる。例えば、温度検出装置２５は、サーミスタからなる。温度検出装置２５は、放熱フィン１８の温度を検出する。
【００２４】
次に、図４を用いて、除湿機による除湿を説明する。
図４はこの発明の実施の形態１における除湿機の縦断面図である。
【００２５】
図４に示すように、除湿装置６は、圧縮機６ａと凝縮器６ｂと減圧装置６ｃと蒸発器６ｄとを備える。圧縮機６ａと凝縮器６ｂと減圧装置６ｃと蒸発器６ｄとは、配管により順に接続される。例えば、圧縮機６ａは、３相圧縮機からなる。
【００２６】
制御装置９は、操作部１０の操作状態と湿度検出装置７に検出された湿度とに基づいて送風機５の動作を制御する。送風機５は、制御装置９からの制御指令に応じた回転数で回転する。その結果、室内の空気Ａは、吸込口１２から水平方向に筐体の内部に吸い込まれる。その後、空気Ａは、蒸発器６ｄを通過する。その後、送風機５は、吐出口４から上方に向けて空気Ｂを室内へ吐き出す。
【００２７】
制御装置９は、操作部１０の操作状態と湿度検出装置７に検出された湿度とに基づいて圧縮機６ａの動作を制御する。圧縮機６ａは、制御装置９からの制御指令に応じた周波数で冷媒を圧縮する。凝縮器６ｂは、圧縮機６ａが圧縮した冷媒を冷却する。減圧装置６ｃは、凝縮器６ｂが冷却した冷媒を減圧する。蒸発器６ｄは、減圧装置６ｃが減圧した冷媒への吸熱を行うことで空気Ａに含まれる水分を除去する。その結果、乾燥した空気Ｂが生成される。空気Ａから除去された水分は、貯水タンク１１に貯められる。
【００２８】
次に、図５を用いて、制御装置９の冷却を説明する。
図５はこの発明の実施の形態１における除湿機の要部の正面図である。
【００２９】
図５において、前方筐体２と後方筐体３とは図示されていない。図５において、取込口１３は、模式的に示される。図５において、空気の流れは、点線の矢印で模式的に表される。図５に示すように、風路２６は、筐体の内部に設けられる。風路２６は、鉛直通過部２６ａと水平通過部２６ｂと有する。
【００３０】
鉛直通過部２６ａの前方側の側面は、前方筐体２の一部で形成される。鉛直通過部２６ａの一側の側面は、前方筐体２の一側の側面の一部で形成される。鉛直通過部２６ａの他側の側面は、第１表側板金カバー１５の中央部に形成された面１５ａで形成される。鉛直通過部２６ａの後方側の側面は、第１表側板金カバー１５の一側の面で形成される。鉛直通過部２６ａの上面は、前方筐体２の一部で形成される。
【００３１】
水平通過部２６ｂの上面は、前方筐体２の一部で形成される。水平通過部２６ｂの下面は、第１表側板金カバー１５の上面の一部と裏側板金カバー１４（図５においては図示せず）の上面の一部とで形成される。
【００３２】
図５において、制御装置９は、冷却ファン１９の動作を制御する。冷却ファン１９は、制御装置９からの制御指令に応じた回転数で回転する。その結果、室内の下部の空気Ｃは、取込口１３から筐体の内部に吸い込まれる。
【００３３】
その後、空気Ｃは、フード２０の入口２０ａを通過する。その後、空気Ｃは、冷却ファン１９を通過する。その後、冷却ファン１９は、放熱フィン１８に向けて上方に空気Ｃを吐き出す。空気Ｃは、フード２０に遮蔽された空間において隣接した板体１８ａの隙間を鉛直方向に通過する。この際、空気Ｃは、放熱フィン１８を冷却する。その結果、空気Ｃの温度は、放熱フィン１８の熱により上昇する。その後、空気Ｃは、フード２０の出口２０ｂを通過する。
【００３４】
その後、空気Ｃは、鉛直通過部２６ａの空間を上方に向けて通過する。その後、空気Ｃは、水平通過部２６ｂの空間を筐体の中央に向けて水平方向に通過する。その後、空気Ｃは、送風機５に吸い込まれる。その後、送風機５は、吐出口４から上方に向けて空気Ｃを空気Ｂとともに室内へ吐き出す。
【００３５】
次に、図６を用いて、冷却ファン１９の制御の例を説明する。
図６はこの発明の実施の形態１における除湿機に用いられた冷却ファンの制御の例を説明するための図である。
【００３６】
図６に示すように、圧縮機６ａの周波数の設定は、複数の等級に分けられる。例えば、圧縮機６ａの周波数の設定は、第１等級から第７等級に分けられる。
【００３７】
第１等級は、１Ｈｚから３９Ｈｚに対して割り当てられる。第２等級は、４０Ｈｚから４９Ｈｚに対して割り当てられる。第３等級は、５０Ｈｚから５９Ｈｚに対して割り当てられる。第４等級は、６０Ｈｚから６９Ｈｚに対して割り当てられる。第５等級は、７０Ｈｚから７９Ｈｚに対して割り当てられる。第６等級は、８０Ｈｚから８９Ｈｚに割り当てられる。第７等級は、９０Ｈｚに対して割り当てられる。
【００３８】
冷却ファン１９の回転数の設定は、複数の等級に分けられる。例えば、冷却ファン１９の回転数の設定は、第１等級から第４等級に分けられる。
【００３９】
第１等級は、最も少ない回転数に対して割り当てられる。第２等級は、２番目に少ない回転数に対して割り当てられる。第３等級は、２番目に多い回転数に対して割り当てられる。第４等級は、最も多い回転数に対して割り当てられる。
【００４０】
図６において、第１等級は、「１」で表される。第２等級は、「２」で表される。第３等級は、「３」で表される。第４等級は、「４」で表される。
【００４１】
制御装置９は、圧縮機６ａの周波数の設定と温度検出装置２５に検出された放熱フィン１８の温度とに基づいて冷却ファン１９の回転数を制御する。例えば、制御装置９は、ＰＷＭ制御により冷却ファン１９の回転数を段階的に制御する。例えば、冷却ファン１９の回転数の変更は、１分間隔で行われる。
【００４２】
例えば、圧縮機６ａの周波数の設定が第１等級の際、放熱フィン１８の温度が上昇して６１℃以上になると、制御装置９は、冷却ファン１９の設定を「１」から「２」にする。さらに、放熱フィン１８の温度が上昇して７１℃以上になると、制御装置９は、冷却ファン１９の設定を「２」から「３」にする。さらに、放熱フィン１８の温度が上昇して８１℃以上になると、制御装置９は、冷却ファン１９の設定を「３」から「４」になる。さらに、放熱フィン１８の温度が上昇して９１℃以上になると、制御装置９は、放熱フィン１８の温度が異常であると判定する。この際、制御装置９は、冷却ファン１９を停止させる。
【００４３】
その後、放熱フィン１８の温度が下降して７６℃以下になると、制御装置９は、冷却ファン１９の設定を「３」にする。さらに、放熱フィン１８の温度が下降して６６℃以下になると、制御装置９は、冷却ファン１９の設定を「３」から「２」にする。さらに、放熱フィン１８の温度が下降して５６℃以下になると、制御装置９は、冷却ファン１９の設定を「２」から「１」にする。
【００４４】
例えば、圧縮機６ａの周波数の設定が第２等級の際、放熱フィン１８の温度が上昇して６１℃以上になると、制御装置９は、冷却ファン１９の設定を「１」から「２」にする。さらに、放熱フィン１８の温度が上昇して７１℃以上になると、制御装置９は、冷却ファン１９の設定を「２」から「３」にする。さらに、放熱フィン１８の温度が上昇して８１℃以上になっても、制御装置９は、冷却ファン１９の設定を「３」に維持する。さらに、放熱フィン１８の温度が上昇して９１℃以上になると、制御装置９は、放熱フィン１８の温度が異常であると判定する。この際、制御装置９は、冷却ファン１９を停止させる。
【００４５】
その後、放熱フィン１８の温度が下降して７６℃以下になると、制御装置９は、冷却ファン１９の設定を「３」にする。さらに、放熱フィン１８の温度が下降して６６℃以下になると、制御装置９は、冷却ファン１９の設定を「３」から「２」にする。さらに、放熱フィン１８の温度が下降して５６℃以下になると、制御装置９は、冷却ファン１９の設定を「２」から「１」にする。
【００４６】
例えば、圧縮機６ａの周波数の設定が第３等級の際、放熱フィン１８の温度が上昇して６１℃以上になると、制御装置９は、冷却ファン１９の設定を「２」から「３」にする。さらに、放熱フィン１８の温度が上昇して７１℃以上になっても、制御装置９は、冷却ファン１９の設定を「３」に維持する。さらに、放熱フィン１８の温度が上昇して８１℃以上になっても、制御装置９は、冷却ファン１９の設定を「３」に維持する。さらに、放熱フィン１８の温度が上昇して９１℃以上になると、制御装置９は、放熱フィン１８の温度が異常であると判定する。この際、制御装置９は、冷却ファン１９を停止させる。
【００４７】
その後、放熱フィン１８の温度が下降して７６℃以下になると、制御装置９は、冷却ファン１９の設定を「３」にする。さらに、放熱フィン１８の温度が下降して６６℃以下になっても、制御装置９は、冷却ファン１９の設定を「３」に維持する。さらに、放熱フィン１８の温度が下降して５６℃以下になると、制御装置９は、冷却ファン１９の設定を「３」から「２」にする。
【００４８】
例えば、圧縮機６ａの周波数の設定が第４等級の際、放熱フィン１８の温度が上昇して６１℃以上になると、制御装置９は、冷却ファン１９の設定を「２」から「３」にする。さらに、放熱フィン１８の温度が上昇して７１℃以上になると、制御装置９は、冷却ファン１９の設定を「３」から「４」にする。さらに、放熱フィン１８の温度が上昇して８１℃以上になっても、制御装置９は、冷却ファン１９の設定を「４」に維持する。さらに、放熱フィン１８の温度が上昇して９１℃以上になると、制御装置９は、放熱フィン１８の温度が異常であると判定する。この際、制御装置９は、冷却ファン１９を停止させる。
【００４９】
その後、放熱フィン１８の温度が下降して７６℃以下になると、制御装置９は、冷却ファン１９の設定を「４」にする。さらに、放熱フィン１８の温度が下降して６６℃以下なると、送風ファンの設定は、「４」から「３」になる。さらに、放熱フィン１８の温度が下降して５６℃以下になると、制御装置９は、冷却ファン１９の設定を「３」から「２」にする。
【００５０】
例えば、圧縮機６ａの周波数の設定が第５等級の際、放熱フィン１８の温度が上昇して６１℃以上になると、制御装置９は、冷却ファン１９の設定を「２」から「３」にする。さらに、放熱フィン１８の温度が上昇して７１℃以上になると、制御装置９は、冷却ファン１９の設定を「３」から「４」にする。さらに、放熱フィン１８の温度が上昇して８１℃以上になっても、制御装置９は、冷却ファン１９の設定を「４」に維持する。さらに、放熱フィン１８の温度が上昇して９１℃以上になると、制御装置９は、放熱フィン１８の温度が異常であると判定する。この際、制御装置９は、冷却ファン１９を停止させる。
【００５１】
その後、放熱フィン１８の温度が下降して７６℃以下になると、制御装置９は、冷却ファン１９の設定を「４」にする。さらに、放熱フィン１８の温度が下降して６６℃以下なると、制御装置９は、冷却ファン１９の設定を「４」から「３」にする。さらに、放熱フィン１８の温度が下降して５６℃以下になると、制御装置９は、冷却ファン１９の設定を「３」から「２」にする。
【００５２】
例えば、圧縮機６ａの周波数の設定が第６等級の際、放熱フィン１８の温度が上昇して６１℃以上になると、制御装置９は、冷却ファン１９の設定を「３」から「４」にする。さらに、放熱フィン１８の温度が上昇して７１℃以上になっても、制御装置９は、冷却ファン１９の設定を「４」に維持する。さらに、放熱フィン１８の温度が上昇して８１℃以上になっても、制御装置９は、冷却ファン１９の設定を「４」にする。さらに、放熱フィン１８の温度が上昇して９１℃以上になると、制御装置９は、放熱フィン１８の温度が異常であると判定する。この際、制御装置９は、冷却ファン１９を停止させる。
【００５３】
その後、放熱フィン１８の温度が下降して７６℃以下になると、制御装置９は、冷却ファン１９の設定を「４」にする。さらに、放熱フィン１８の温度が下降して６６℃以下なっても、制御装置９は、冷却ファン１９の設定を「４」に維持する。さらに、放熱フィン１８の温度が下降して５６℃以下になると、制御装置９は、冷却ファン１９の設定を「４」から「３」にする。
【００５４】
例えば、圧縮機６ａの周波数の設定が第７等級の際、放熱フィン１８の温度が上昇して６１℃以上になると、制御装置９は、冷却ファン１９の設定を「３」から「４」にする。さらに、放熱フィン１８の温度が上昇して７１℃以上になっても、制御装置９は、冷却ファン１９の設定を「４」に維持する。さらに、放熱フィン１８の温度が上昇して８１℃以上になっても、制御装置９は、冷却ファン１９の設定を「４」に維持する。さらに、放熱フィン１８の温度が上昇して９１℃以上になると、制御装置９は、放熱フィン１８の温度が異常であると判定する。この際、制御装置９は、冷却ファン１９を停止させる。
【００５５】
その後、放熱フィン１８の温度が下降して７６℃以下になると、制御装置９は、冷却ファン１９の設定を「４」にする。さらに、放熱フィン１８の温度が下降して６６℃以下になっても、制御装置９は、冷却ファン１９の設定を「４」に維持する。さらに、放熱フィン１８の温度が下降して５６℃以下になると、制御装置９は、冷却ファン１９の設定を「４」から「３」にする。
【００５６】
以上で説明した実施の形態１によれば、制御装置９が発した熱は、放熱フィン１８により放熱される。当該熱は、冷却ファン１９が吐き出した空気により冷却される。当該空気は、風路２６の空間を通過する。当該空気は、送風機５に吸い込まれる。当該空気は、送風機５により吐出口４から吐き出される。このため、制御装置９が発した熱が除湿機の筐体の内部にこもることを防止できる。
【００５７】
なお、放熱フィン１８は、第２表側板金カバー１６から突き出している。このため、放熱フィン１８で温められた空気が第２表側板金カバー１６と第１基板２２との間に入ることを防止できる。その結果、第１基板２２の温度上昇を防止できる。
【００５８】
また、フード２０は、放熱フィン１８と冷却ファン１９とを覆う。このため、冷却ファン１９は、放熱フィン１８に向けて効率よく空気を吐き出すことができる。
【００５９】
また、放熱フィン１８は、冷却ファン１９が吐き出した空気が鉛直方向に通過するように形成される。このため、放熱フィン１８で温められた空気は、上昇気流となって上昇する。その結果、冷却ファン１９が吐き出す空気の流れが妨げられることを防止できる。
【００６０】
また、冷却ファン１９は、取込口１３から吸い込んだ空気を放熱フィン１８に向けて吐き出す。このため、温められていない空気で放熱フィン１８を冷却することができる。この際、取込口１３は、湿度検出装置７のために予め設けられている。このため、冷却ファン１９が空気を吸い込むための開口部を新たに筐体に形成する必要はない。
【００６１】
また、制御装置９の一側と放熱フィン１８と冷却ファン１９とは、送風機５の回転軸の側方の一方に設けられる。このため、筐体を大きくすることなく、冷却ファン１９が吐き出す空気の流れが妨げられることを防止できる。
【００６２】
また、放熱フィン１８は、発熱の多いインバータ２２ａに対向する。このため、制御装置９をより効率的に冷却することができる。
【００６３】
また、制御装置９は、放熱フィン１８の温度に基づいて冷却ファン１９の動作を制御する。この際、放熱フィン１８の温度が許容できる範囲であれば、冷却ファン１９の回転数を抑えることができる。このため、冷却ファン１９の軸受けの摩耗を抑えることができる。その結果、冷却ファン１９の寿命を長くすることができる。
【００６４】
なお、冷却ファン１９が吐き出した空気が放熱フィン１８を冷却した後に送風機５に吸い込まれるまでの間に通過する空間を有した風路を専用に設けてもよい。この場合、放熱フィン１８で温められた空気をより効率的に筐体の外部へ吐き出すことができる。
【産業上の利用可能性】
【００６５】
以上のように、この発明に係る除湿機は、制御装置が発した熱が除湿機の筐体の内部にこもることを防止するシステムに利用できる。
【符号の説明】
【００６６】
１  中央筐体、  ２  前方筐体、  ３  後方筐体、  ４  吐出口、  ５  送風機、  ６  除湿装置、  ６ａ  圧縮機、  ６ｂ  凝縮器、  ６ｃ  減圧装置、  ６ｄ  蒸発器、  ７  湿度検出装置、  ８  リアクトル、  ９  制御装置、  １０  操作部、  １１  貯水タンク、  １２  吸込口、  １３  取込口、  １４  裏側板金カバー、  １５  第１表側板金カバー、  １５ａ  面、  １６  第２表側板金カバー、  １６ａ  開口部、  １７  第３表側板金カバー、  １８  放熱フィン、  １８ａ  板体、  １９  冷却ファン、  ２０  フード、  ２０ａ  入口、  ２０ｂ  出口、  ２１  支持体、  ２２  第１基板、  ２２ａ  インバータ、  ２３  第２基板、  ２４  絶縁枠、  ２５  温度検出装置、  ２６  風路、  ２６ａ  鉛直通過部、  ２６ｂ  水平通過部
【図１】
2016052211.tif 000003
【図２】
2016052211.tif 000004
【図３】
2016052211.tif 000005
【図４】
2016052211.tif 000006
【図５】
2016052211.tif 000007
【図６】
2016052211.tif 000008
【国際調査報告】
2016052211.tif 000009
2016052211.tif 000010
2016052211.tif 000011
2016052211.tif 000012